(57)【要約】【課題】圧縮機運転停止時に、ドラフト感を低減できる多室型空気調和機を提供する。【解決手段】圧縮機（図示せず）、室外熱交換器（図示せず）及び膨張弁（図示せず）を有する室外機（図示せず）と、室外機に配管接続される複数の室内機２０とからなり、室内機２０は、室内ファン８と、室内熱交換器５と、前記室内熱交換器５で熱交換された空気が吹き出る上側吹出口２２ａ、下側吹出口２２ｂ（以下「吹出口」という）と、吹出口の少なくとも１つを開閉するシャッター３０と、シャッター３０を駆動するシャッター駆動部（図示せず）とを備え、圧縮機１の運転停止時に、シャッター３０を一定時間全閉動作させた後開動作させるもので、圧縮機の運転停止時に、シャッター３０で吹出口の少なくとも１つを閉じる事でドラフト感を低減し、一定時間経過後に、シャッター３０を開くことで、異物噛み込みした場合でも、容易にそれを取り出すことができる。【選択図】図３
2009186041.tif 000002
【特許請求の範囲】
【請求項１】
圧縮機、室外熱交換器、四路弁、及び膨張弁を有する室外機と、前記室外機に配管接続される複数の室内機とからなり、前記室内機は、室内ファンと、室内熱交換器と、前記室内熱交換器で熱交換された空気が吹き出る複数の吹出口と、前記複数の吹出口の少なくとも１つを開閉するシャッターと、前記シャッターを駆動するシャッター駆動部とを備え、前記圧縮機の運転停止時に、前記シャッターを一定時間全閉動作させた後、開動作させることを特徴とする多室型空気調和機。
【請求項２】
吹出口として、少なくとも室内機の上側に上側吹出口を、前記室内機の下側に下側吹出口をそれぞれ設け、シャッターで、前記下側吹出口を開閉することを特徴とする多室型空気調和機。
【発明の詳細な説明】
【技術分野】
【０００１】
本発明は、多室型空気調和機に関するものである。
【背景技術】
【０００２】
従来の、この種の多室型空気調和機は、運転停止時に、吹出口が閉塞されるようになっている。かかる先行技術は文献公知発明のものでないため、記載すべき先行技術文献はない。
【発明の開示】
【発明が解決しようとする課題】
【０００３】
しかしながら、従来の多室型空気調和機の構成では、多室型空気調和機が床置きされた場合、吹出口に異物が入った場合に取り出せなくなり、吹出口を開いたままでは、多室型空気調和機を停止したときに、居住空間の使用者はドラフト感を感じやすくなるという課題があった。
【０００４】
本発明は、上記従来の課題を解決し、圧縮機停止時に吹出口の開閉を行い、ドラフト感を低減できる多室型空気調和機を提供することを目的とする。
【課題を解決するための手段】
【０００５】
上記従来の課題を解決するために、本発明の多室型空気調和機は、圧縮機、室外熱交換器、四路弁、及び膨張弁を有する室外機と、前記室外機に配管接続される複数の室内機とからなり、前記室内機は、室内ファンと、室内熱交換器と、前記室内熱交換器で熱交換された空気が吹き出る複数の吹出口と、前記複数の吹出口の少なくとも１つを開閉するシャッターと、前記シャッターを駆動するシャッター駆動部とを備え、前記圧縮機の運転停止時に、前記シャッターを一定時間全閉動作させた後、開動作させるもので、圧縮機運転停止時において複数の吹出口から風を吹き出しているとき、シャッターにより複数の吹出口の少なくとも１つを閉じる事でドラフト感を低減できる。また、一定時間経過後にシャッター駆動部を制御してシャッターを開くことによって、異物噛み込みした場合でもシャッターが開いているので取り出せ、ファンが惰性で回転していても、一定時間経過後にシャッター駆動部を制御して、シャッターを開くことでドラフト感を低減できる。
【発明の効果】
【０００６】
本発明の多室型空気調和機は、室内機の運転状態に関係なく圧縮機が停止したあとにシャッターにより複数の吹出口の少なくとも１つを閉じる事によりドラフト感を防止し、一定時間経過後にシャッターを開くことによって、異物噛み込みした場合でもシャッターが開いているので容易に取り出せる。
【発明を実施するための最良の形態】
【０００７】
第１の発明は、圧縮機、室外熱交換器、四路弁、及び膨張弁を有する室外機と、前記室外機に配管接続される複数の室内機とからなり、前記室内機は、室内ファンと、室内熱交換器と、前記室内熱交換器で熱交換された空気が吹き出る複数の吹出口と、前記複数の吹出口の少なくとも１つを開閉するシャッターと、前記シャッターを駆動するシャッター駆動部とを備え、前記圧縮機の運転停止時に、前記シャッターを一定時間全閉動作させた後、開動作させるもので、圧縮機運転停止時において複数の吹出口から風を吹き出しているとき、シャッターにより複数の吹出口の少なくとも１つを閉じる事でドラフト感を低減できる。また、一定時間経過後にシャッター駆動部を制御してシャッターを開くことによって、異物噛み込みした場合でもシャッターが開いているので取り出せ、ファンが惰性で回
転していても、一定時間経過後にシャッター駆動部を制御して、シャッターを開くことでドラフト感を低減できる。
【０００８】
第２の発明は、特に、第１の発明の吹出口として、少なくとも室内機の上側に上側吹出口を、前記室内機の下側に下側吹出口をそれぞれ設け、シャッターで、前記下側吹出口を開閉するもので、運転停止時にシャッターにより下側吹出口を開く事で、上側吹出口からコインやボタンなどの異物などが挿入された場合でも、容易に下側吹出口から取り出すことができる。また、床置きで使用している室内機２０の近傍にいる時に運転停止しても惰性回転でファンが回るため、運転停止して即下側吹出口のシャッターを開くと風速感を感じてしまうが、一定時間経過後に、下側吹出口のシャッターを開く事でほぼファン停止状態になり、下側吹出口からのドラフト感を低減することができる。
【０００９】
以下、本発明の実施の形態について、図面を参照しながら説明する。なお、この実施の形態によって本発明が限定されるものではない。
【００１０】
（実施の形態１）
図１は、本発明の第１の実施の形態における多室型空気調和機の冷媒回路の回路図、図２は、同多室型空気調和機の室内機の斜視図、図３は、同空気調和機の室内機の断面図、図４は、同多室型空気調和機の制御装置の動作を説明するフローチャートである。
【００１１】
図１、２において、本実施の形態における多室型空気調和機は、１台の室外機１０と、室外機１０に接続された複数の室内機２０（図１では、１台のみ図示）から構成され、室外機１０には、圧縮機１と、上記圧縮機１の吐出側が一端に接続された四路弁２と、上記四路弁２の他端に一端が接続された室外熱交換器３と、上記室外熱交換器３の他端に一端が接続された電動式の膨張弁４と、圧縮機１の吸入側に接続されたアキュムレータ６と、室外熱交換器３近傍に配置された室外ファン７とを備えている。
【００１２】
各室内機２０は、室内熱交換器５と、室内熱交換器５近傍に配置された室内ファン８と、室内熱交換器５の温度を検出する温度センサ９と、シャッター３０（図３に示す）を駆動するシャッター駆動部３１とを備え、膨張弁４は、閉鎖弁１２を介して室内熱交換器５の一端に接続され、室内熱交換器５の他端は、閉鎖弁１３、四路弁２を介して、一端が圧縮機１の吸入側に接続されたアキュムレータ６の他端に接続されている。
【００１３】
上記圧縮機１、四路弁２、室外熱交換器３、膨張弁４、室内熱交換器５およびアキュムレータ６で冷媒回路を構成している。
【００１４】
また、この多室型空気調和機は、上記温度センサ９により検出された室内熱交換器５の温度に基づいて、圧縮機１、膨張弁４、室外ファン７、室内ファン８、シャッター駆動部３１等を制御する制御装置１１を備えている。
【００１５】
上記制御装置１１は、マイクロコンピュータ（図示せず）と入出力回路（図示せず）などからなり、シャッター駆動部３１を制御する制御部の一例としてのシャッター制御部１１ａとを有する。
【００１６】
室内機２０は、図２に示すように、室内の壁面に後面側が取り付けられる略長方形状の底フレーム２１と、上記底フレーム２１の前面側に取り付けられ、前面に略長方形状の開口部２２ｃ（図３に示す）を有する前面グリル２２と、前面グリル２２の開口部２２ｃ（図３に示す）を覆うように取り付けられた前面パネル２３とを備えている。
【００１７】
前面パネル２３の上部に上側吸込口２３ａが、下部に下側吸込口２３ｂが、両側面に側
方吸込口２３ｃがそれぞれ設けられている。
【００１８】
上記前面グリル２２の上部に、上側吹出口２２ａを設けると共に、前面グリル２２の下部に下側吹出口２２ｂを設けている。上記前面グリル２２の上側吹出口２２ａに、フラップ２４を設けている。このフラップ２４は、冷房運転および暖房運転時に回動して、上側吹出口２２ａから冷風もしくは、温風を前方かつ斜め上方に吹き出すようにし、停止時は、図２に示すように、上側吹出口２２ａを覆う。
【００１９】
また図３に示すように、底フレーム２１の略中央にモータ２６を固定している。このモータ２６の軸に接続された室内ファン８を、軸が前後方向になるように底フレーム２１に配置している。上記室内ファン８は、前面側から吸い込んだ空気を軸に対して半径方向外向に吹き出すターボファンである。また、上記底フレーム２１の室内ファン８の前面側にベルマウス２７を設けている。そして、上記ベルマウス２７の前面側に、室内熱交換器５を配置し、その室内熱交換器５の前面側に、前面グリル２２を取り付け、その前面グリル２２の前面側に、前面パネル２３を取り付けている。上記前面グリル２２の開口部２２ｃにフィルタ２５を取り付けている。また、上記ベルマウス２７の下部かつ室内熱交換器５の下側には、室内熱交換器５から落下する凝縮水を受けるドレンパン２８を配置している。
【００２０】
また、前面グリル２２の下側の吹き出し通路内に、下側吹出口２２ｂを開閉するシャッター３０を配置している。このシャッター３０は、シャッター駆動部３１（図１に示す）により、底フレーム２１側に設けられた軸３０ａを中心に回動するもので、一点鎖線で示すＡが全開状態であり、Ｂが全閉状態である。
【００２１】
以上のように構成された本実施の形態における多室型空気調和機において、暖房運転時、四路弁２を、実線の切換え位置に切り換えて、圧縮機１を起動すると、圧縮機１から吐出された高圧冷媒が四路弁２を通って室内熱交換器５に入る。そして、上記室内熱交換器５で凝縮した冷媒は、膨張弁４で減圧された後に、室外熱交換器３に入る。
【００２２】
上記室外熱交換器３で蒸発した冷媒が、四路弁２およびアキュームレータ６を介して圧縮機１の吸入側に戻る。こうして、上記圧縮機１、室内熱交換器５、膨張弁４、室外熱交換器３およびアキュームレータ６で構成された冷媒回路を、冷媒が循環して、冷凍サイクルを実行する。そして、室内ファン８により、前面パネル２３の上・下側吸込口２３ａ、２３ｂ、側方吸込口２３ｃから室内の空気が吸引され、室内熱交換器５で熱交換された後、前面グリル２２の上・下側吹出口２２ａ、２２ｂから吹き出すことにより、室内空気を循環させ、室内を暖房する。
【００２３】
これに対して、冷房運転時は、四路弁２を点線の切換え位置に切り換えて、圧縮機１、室外熱交換器３、膨張弁４、室内熱交換器５およびアキュームレータ６の順に冷媒が循環する冷凍サイクルを実行する。
【００２４】
次に、図４のフローチャートに従って、多室型空気調和機の制御装置１１の運転停止時の動作を説明する。
【００２５】
まず、リモコン（図示せず）などにより、多室型空気調和機の運転停止時の処理がスタートすると、ステップＳ１で、吹出口設定が二方吹き制御であるかまたは一方吹き制御であるかを判別して、吹出口設定が一方吹き制御であるときは、ステップＳ２に進み、吹出口設定が二方吹き制御であるときは一方吹き制御の処理のあとにステップＳ２に進む。
【００２６】
ここで、二方吹き制御とは、図２に示す上側吹出口２２ａと下側吹出口２２ｂの両方か
ら風を吹き出す運転制御であり、一方吹き制御とは、図２、図３に示す下側吹出口２２ｂをシャッター３０により閉じて、上側吹出口２２ａの一方からのみ風を吹き出す運転制御である。
【００２７】
次に、ステップＳ２において、リモコンなどで、多室型空気調和機の運転を停止させてからの時間がＴ１未満であればステップＳ２に戻り、Ｔ１以上であれば、シャッター制御部１１ａによりシャッター３０を開けて（Ｓ３）、多室型空気調和機の運転を停止する（Ｓ４）。
【００２８】
これによって、多室からの処理により、圧縮機１が停止した場合、室内の配管温度ではなく、圧縮機１の運転状態で一方吹き運転にすることで、吹き出し温度が低下する前にシャッター３０を閉じることができるのでドラフト感を効果的に低減できる。
【００２９】
また、一方吹き運転中に、ユーザーがリモコンなどにより運転停止したときに、室内ファン８が惰性で回転しているのにシャッター３０を開けて風が出ることを防ぐことによりドラフト感を効果的に低減できる。また、運転停止時にシャッター３０を開けておくことで、上側吹出口２２ａからの異物などが入り込んだとき、それが、Ａ側に引っかかる事なく、容易に下側吹出口２２ｂから取り出す事ができる。
【００３０】
なお、上記実施の形態では、室外機と室内機を備えたセパレートタイプの空気調和機について説明したが、他の構成の空気調和機にこの発明を適用してもよい。
【産業上の利用可能性】
【００３１】
以上のように、本発明に係る多室型空気調和機は、室内機の運転状態に関係なく圧縮機が停止したあとにシャッターにより複数の吹出口の少なくとも１つを閉じる事によりドラフト感を防止し、一定時間経過後にシャッターを開くことによって、異物噛み込みした場合でも、それを容易に取り出せるもので、各種空気調和機に適用できる。
【図面の簡単な説明】
【００３２】
【図１】本発明の実施の形態１における多室型空気調和機の冷媒回路の回路図
【図２】同多室型空気調和機の室内機の斜視図
【図３】同多室型空気調和機の室内機の断面図
【図４】同多室型空気調和機の制御装置の動作を説明するフローチャート
【符号の説明】
【００３３】
１  圧縮機
２  四路弁
３  室外熱交換器
４  膨張弁
５  室内熱交換器
６  アキュームーレータ
７  室外ファン
８  室内ファン
９  温度センサ
１０  室外機
１１  制御装置
１１ａ  シャッター制御部
１２、１３  閉鎖弁
２０  室内機
２１  底フレーム
２２  前面グリル
２２ａ  上側吹出口（吹出口）
２２ｂ  下側吹出口（吹出口）
２２ｃ  開口部
２３  前面パネル
２３ａ  上側吸込口
２３ｂ  下側吸込口
２３ｃ  側方吸込口
２４  フラップ
２５  フィルタ
２６  モータ
２７  ベルマウス
３０  シャッター
３１  シャッター駆動部
【図１】
2009186041.tif 000003
【図４】
2009186041.tif 000004
【図２】
2009186041.tif 000005
【図３】
2009186041.tif 000006